【事件の表示】
　特許第３２１９９０１号「液体容器」の請求項１ないし５に係る特許に対する特許異議の申立てについて、次のとおり決定する。
【結　論】
　訂正を認める。
　特許第３２１９９０１号の請求項１ないし５に係る特許を維持する。
【理　由】
１．手続の経緯
　特許第３２１９９０１号の請求項１乃至５に係る発明は、平成５年６月８日に特許出願され、平成１３年８月１０日にその特許権の設定登録がなされ、その後、特許異議申立人トチセン化成工業株式会社、および、沢江健治より特許異議の申立がなされ、取消しの理由が通知され、その指定期間内である平成１４年１０月１０日に訂正請求がなされたものである。
　　　                      
２．訂正の適否についての判断
(1)訂正の内容 　
ア．訂正事項ａ
　請求項１の記載を、訂正前の
「【請求項１】　内容物取り出用の吐出口を有する面を含み且つ全体の略１／２に相当する非変形部分の剛性に対して該非変形部分以外の部分に相当する変形部分の剛性を相対的に弱く構成し、内容物が取り出されるに従って前記変形部分が前記非変形部分の内側に沿って撓む変形可能な容器であって、前記吐出口を有する面の前記吐出口の周辺または変形時に前記吐出口を有する面と対向する面であって前記吐出口の周辺と対向する部位の何れかに内側へ向かって突出した突起を複数形成したことを特徴とする液体容器。」
から、訂正後の
「【請求項１】　内容物取り出用の吐出口を有する面を含み且つ全体の略１／２に相当する非変形部分の剛性に対して該非変形部分以外の部分に相当する変形部分の剛性を相対的に弱く構成し、内容物が取り出されるに従って前記変形部分が前記非変形部分の内側に沿って撓む変形可能な容器であって、前記吐出口を有する面の前記吐出口の周辺または変形時に前記吐出口を有する面と対向する面であって前記吐出口の周辺と対向する部位の何れかに内側へ向かって突出した
半球状の
イ．訂正事項ｂ
請求項２の記載を、訂正前の
「【請求項２】　内容物取り出用の吐出口を有する面を含み且つ全体の略１／２に相当する非変形部分の剛性に対して該非変形部分以外の部分に相当する変形部分の剛性を相対的に弱く構成し、内容物が取り出されるに従って前記変形部分が前記非変形部分の内側に沿うように撓んで入り込む変形可能な容器であって、前記非変形部分または前記変形部分の何れか一方に内側へ向かって突出した突起を複数形成したことを特徴とする液体容器。」
から、訂正後の
「【請求項２】　内容物取り出用の吐出口を有する面を含み且つ全体の略１／２に相当する非変形部分の剛性に対して該非変形部分以外の部分に相当する変形部分の剛性を相対的に弱く構成し、内容物が取り出されるに従って前記変形部分が前記非変形部分の内側に沿うように撓んで入り込む変形可能な容器であって、前記非変形部分または前記変形部分の何れか一方に内側へ向かって突出した
半球状の
ウ．訂正事項ｃ
　発明の詳細な説明の［０００８］の記載中「…内側へ向かって突出した突起を複数形成したことを特徴としている。」を「…内側へ向かって突出した
半球状の
エ．訂正事項ｄ
　発明の詳細な説明の［０００９］の記載中「…内側へ向かって突出した突起を複数形成したことを特徴としている。」を「…内側へ向かって突出した
半球状の
オ．訂正事項ｅ   
　発明の詳細な説明の［００１２］の記載中「…部位の何れかに複数の突起が形成されており、…」を「…部位の何れかに複数の
半球状の
カ．訂正事項ｆ　
　発明の詳細な説明の［００１３］の記載中「…内側へ突出した突起が形成されており、…」を「…内側へ突出した
半球状の
キ．訂正事項ｇ   
　発明の詳細な説明の［００４０］の記載中「…内容物が取り出される吐出口周辺に突起を有する…」を「…内容物が取り出される吐出口周辺に
半球状の
ク．訂正事項ｈ  発明の詳細な説明の［００４１］の記載中「…表面の略半部に突起を有する…」を「…表面の略半部に
半球状の
         　
(2)訂正の目的の適否、新規事項の有無及び拡張・変更の存否
訂正事項ａについて：
　突起を「半球状の突起」と訂正することは、突起の形状の特定であるので、特許請求の範囲の減縮を目的とした訂正である。       
　そして上記訂正個所は、特許明細書の段落【００１８】の「半球状の突起３が内側へ突出して複数設けられている。」、段落【００２１】の「また、吐出口２を通じて内容物が取り出される際、突起３が半球状を成しているので、」及び、段落【００２３】の「また、非変形部分ＥＡ全体には、凹部３ａと凸部３ｂからなる半球状の突起３が内側に突出して複数設けられている。」という記載、ならびに、図面の記載からみて、願書に添付した明細書または図面に記載された範囲内の訂正であり、実質上特許請求の範囲を拡張、または、変更するものではない。
訂正事項ｂについて：
　訂正事項ａと同様な訂正であり、特許請求の範囲の減縮を目的とした訂正であって、願書に添付した明細書または図面に記載された範囲内の訂正であり、実質上特許請求の範囲を拡張、または、変更するものではない。
訂正事項ｄ〜ｈついて：
　請求項に関する上記訂正事項ａ〜ｂに対応させた訂正であるので、明りょうでない記載の釈明を目的とする訂正である。そして、これらの訂正事項は、願書に添付した明細書または図面に記載された範囲内の訂正であり、実質上特許請求の範囲を拡張、または、変更するものではない。
　　　　
(3)むすび
　したがって、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び同条第３項の規定に適合するので、当該訂正を認める。
     　
３．特許異議の申立てについての判断
 (1)申立ての理由の概要
１）異議申立１
　特許異議申立人トチセン化成工業株式会社は、甲第１号証（実願平２−１２５２９２号（実開平４−８４１６８号）のマイクロフィルム：刊行物１）を提出し、請求項１〜５に係る発明は、刊行物１に記載された発明から容易に発明できたものであるから、特許法第２９条第２項の規定により特許を受けることができないものであり、したがって、請求項１乃至５に係る発明の特許は取り消されるべきものと主張している。（以下、「申立理由１」という。）
２）異議申立２
　特許異議申立人沢江健治は、甲第１号証（実願平３−６２８１７号（実開平４−８９３４６号）のマイクロフィルム：刊行物２）、甲第２号証（実願平２−１２５２９２号（実開平４−８４１６８号）のマイクロフィルム：刊行物１）、甲第３号証（国際公開ＷＯ９１／１０６０４パンフレット：刊行物３）、甲第４号証（特開平６−２７０９６４号公報）、及び、甲第５号証（特開平６−２１１２７３号公報）を提出し、ア．〜ウ．の理由により、請求項１乃至５に係る発明の特許は取り消されるべきものであると主張している。
ア．請求項１〜３に係る発明は刊行物１または刊行物２に記載された発明であるから、特許法第２９条第１項第３号の規定により特許を受けることができないものである。（以下、「申立理由２」という。）
イ．請求項１〜４に係る発明は、刊行物１〜３に記載された発明から容易に発明できたものであるから、特許法第２９条第２項の規定により特許を受けることができないものである。（以下、「申立理由３」という。）
ウ．請求項５に係る発明は、それぞれ甲第４号証及び甲第５号証に記載された発明と同一であるから、特許法第２９条の２の規定により特許を受けることができないものである。（以下、「申立理由４」という。）
　そして、さらに、
エ．請求項２に係る発明は、構成「前記非変形部分または前記変形部分の何れか一方に内側へ向かって突出した突起を複数形成した」を有するが、該構成の記載では、突起を吐出口の周辺に形成すると規定している請求項１に係る発明とは異なり、非変形部分または変形部分の何れか一方に内側へ向かって突出した突起を複数形成したとしていて、突起を形成する箇所は特定していないので、突起は何処に設けてもよいということになり、発明の詳細な説明における記載には何処に設けてもよいという記載がないことから、発明の詳細な説明の記載と一致しないから、記載不備であり、特許法第３６条第５項の規定により、特許を受けることができないものであると主張している。（以下、「申立理由５」という。）
　　　　　
(2)本件発明
　上記２．で示したように、上記訂正が認められるから、本件の請求項１乃至５に係る発明は、上記訂正請求に係る訂正明細書の特許請求の範囲の請求項１乃至５に記載された事項により特定される次のとおりのものである。
「【請求項１】　内容物取り出用の吐出口を有する面を含み且つ全体の略１／２に相当する非変形部分の剛性に対して該非変形部分以外の部分に相当する変形部分の剛性を相対的に弱く構成し、内容物が取り出されるに従って前記変形部分が前記非変形部分の内側に沿って撓む変形可能な容器であって、前記吐出口を有する面の前記吐出口の周辺または変形時に前記吐出口を有する面と対向する面であって前記吐出口の周辺と対向する部位の何れかに内側へ向かって突出した
半球状の
　【請求項２】　内容物取り出用の吐出口を有する面を含み且つ全体の略１／２に相当する非変形部分の剛性に対して該非変形部分以外の部分に相当する変形部分の剛性を相対的に弱く構成し、内容物が取り出されるに従って前記変形部分が前記非変形部分の内側に沿うように撓んで入り込む変形可能な容器であって、前記非変形部分または前記変形部分の何れか一方に内側へ向かって突出した
半球状の
【請求項３】　前記複数の各突起の突出量または間隔を吐出口に近くなる程小さくした請求項１または２記載の液体容器。（以下、「訂正発明３」という。）
【請求項４】　前記複数の各突起の突出量または間隔を吐出口に近くなる程大きくした請求項１または２記載の液体容器。（以下、「訂正発明４」という。）
【請求項５】　前記液体容器は剛性を有する外容器と該外容器に設けられた柔軟性を有する内容器との二重構造であり、前記非変形部分は前記内容器を前記外容器に固定した構造であることを特徴とする請求項１乃至４記載の液体容器。」（以下、「訂正発明５」という。）
　　　　
(3)刊行物等
　特許異議申立人が証拠として提出した刊行物１〜３、並びに、甲第４号証及び甲第５号証には、それぞれ以下のような発明が記載されている。
　刊行物１：実願平２−１２５２９２号（実開平４−８４１６８号）のマイクロフィルム（異議申立人トチセン化成工業株式会社の提出した甲第１号証、かつ、異議申立人沢江健治の提出した甲第２号証）
　インク自吸式謄写印刷機のインクなど粘樹液を容れる粘樹液の吸出容器（１頁下から２〜１行）に関し、２頁１３行〜６頁１１行に、つぎの記載がある。
「（考案が解決しようとする課題）  ・・・・。多いときは３０％も残っており、結局、この残ったインクは無駄になる。　（課題を解決するための手段）
　本考案は器内のインクの全量を印刷機に吸出させるようにすることを目的に開発したのであって、・・・、水平な邪魔板を高さの中間に内向きに突設すると共に、・・・、邪魔板に下から対抗する補助邪魔板を内向きに突設したことを特徴とする。
（実施例）
　図示の実施例において、Ａは容器、Ｂは容器を内包する組立紙器の外箱を示す。
　容器Ａはプラスチックで成形した剛体の四角な正面板１と該正面板の周綾部から一体に短く延びる筒枠部２に一端を接合したプラスチックの薄い可撓なシート筒３とで構成され、インク４を該シート筒内に他端部から充填後、シート筒の他端部を閉じる。シート筒３の一端の正面板との接合、及び他端の閉塞は熱シールで行なう。
　正面板１は下縁部外面、この例では一側隅角部に、筒枠部２とは逆向きに突出する一体の吸出口５と、該吸出口５内と連通する小径孔６を備えている。従って、吸出口５をインク目吸式謄写印刷機のインク吸込口に接続することにより器内のインク４は小径孔６を通じ印刷機に吸出される。・・・・。本考案に則り、筒枠部２で囲まれた正面板の内面に邪魔板８と補助邪魔板９が内向きに突設してある。　邪魔板８は正面板の内面の高さの中間に水平に設けられ、その幅は正面板の幅よりも少し小である。　補助邪魔板９は正面板の内面に開放した小径孔６の開口の下縁に設けられ、上記小径孔６の開口を挟んで邪魔板８に下から対向する。そして、この実施例では補助邪魔板９は小径孔６の開口の下半周を囲む桶形断面形状になっている。邪魔板８、及び補助邪魔板９の内向き長さは同じでもよいが、この実施例では補助邪魔板９は邪魔板８よりも短い。・・・・・、インクの量がほぼ半分に減ると、インクが満杯であったときのシート筒の上半部３ａ（第３図破線）は器内に作用する負圧で吸引されて垂れ下がり、正面板の内面の上半部に張り付くが、邪魔板８に阻まれ、邪魔板から下の正面板の下半部に張り付くことが防止される。　更にインクの供給が続き、器内のインクの量が僅かになってくると第４図に示すようにシート筒の下半部３ｂが正面板の内面下半部に下から張り付いてくるが、補助邪魔板９に阻まれ、補助邪魔板から上の内面に張り付くことが防止される。　これによって、結局は第５図に示すように邪魔板８と補助邪魔板９とによって保たれた空間１０器内に最後まで残るので、インクの全量を無駄なく印刷機に供給することができる。」         
　以上のことから、刊行物１には、インクなど粘稠液を容れる粘稠液の吸出容器に関し「剛体の四角な正面板１と正面板の周綾部から一体に延びる筒枠部２に一端を接合した変形可能な可撓なシート筒３とからなる容器Ａであって、正面板１は下縁部外面一側隅角部に筒枠部２とは逆向きに突出する吸出口５と連通する小径孔６を備え、正面板の内面の高さの中間の高さを有する邪魔板８を正面板の内面に突設し、補助邪魔板９を小径孔６の開口の下半周を囲む桶形断面形状に突設した構成とすることによって、インクが次第に取り出されて行っても、先ず邪魔板がシート筒が邪魔板から下の正面板の下半部に張り付くことを防止し、次いで、シート筒の下半部３ｂが正面板の内面下半部に下から張り付いてくるが、補助邪魔板がシート筒の上半部３ａが補助邪魔板から上の内面に張り付くことを防止することによって、小径孔を通じて吸出されるインクの全量を無駄なく印刷機に供給することを可能にした液体容器。」（以下、「記載Ａ」という。）が記載されている。
　刊行物２：実願平３−６２８１７号（実開平４−８９３４６号）のマイクロフィルム（異議申立人沢江健治の提出した甲第１号証）
　インク自吸式謄写印刷機のインク等のように粘着性の高い液体を容れる液体用容器（【０００１】）に関し、図面と共に、つぎの記載がある。
実用新案登録請求の範囲；
「【請求項３】断面が逆四角錐台状で、底板と４枚の側面板とからなり該底板より広い開口部にフランジ部を設けた上部容器を、断面が逆四角錐台状で、底板と４枚の側面板とからなり該底板より広い開口部にフランジ部を設け、該底板に注出口を設けた下部容器の内側に収容し、前記両フランジ部を融着して成る液体用容器において、上部容器と下部容器との深さが等しく、また、上部容器の端部のＲが下部容器の端部のＲよりも大きく、そして下部容器の端部付近から前記注出口に向かって延びるリブを設けたことを特徴とする液体用容器。」
　以上の実用新案登録請求の範囲の記載、及び、段落【００１０】、段落【００１４】の記載から、刊行物２には、インク自吸式謄写印刷機のインク等のように粘着性の高い液体を容れる液体用容器に関し、「上部容器５は下部容器６よりも肉厚が薄く剛性が半分以下の弱いものにし、上部容器５を下部容器６の中に収容することが容易に出来る液体容器であって、注出口２０の周囲に溝２２を設け、この溝を跨ぐようにして下部容器の端部６ａ付近から注出口に向かって延びるリブ２３を突設し、内容液をスムーズに注出することが出来る液体容器。」が記載されている。
　刊行物３：国際公開ＷＯ９１／１０６０４パンフレット（異議申立人沢江健治の提出した甲第３号証、添付の部分訳文を参照する。）
　バッグ・イン・ボックス配置の、ソフトドリンクシロップ等の液体を収容し供給する、つぶすことの可能なバッグに関し、刊行物３の４頁１０行〜５頁２３行の訳文を参照すると、刊行物３には、「ソフトドリンク等の液体を収容する、バッグ・イン・ボックス配置の、つぶすことの可能な容器に関し、バッグ壁がつぶれた場合にバッグ壁が液の流れをブロックしないようにする目的で、バッグ壁２０、２２間に溝状の通路２８を有し、この通路２８は、バッグの外表面に取り付けられ、吐出部２４に隣接する部位から、バッグ内の離れた部位まで真っ直ぐに延びる複数の溝状の通路となるように、細長い補強ストリップ２６を、バッグ壁２０と他方のバッグ壁２２との間に設けるように形成されていることから、吐出部の吐出延長部３４がバッグの中に充分延びており、バッグ壁２２がバッグ壁２０に対してつぶれた場合でも、バッグ壁２０，２２間に開放導路４０を形成し、これに連通する吐出部２４の開口３６を通じて液をバッグから完全に吐出できるようにした液体収納容器。」が記載されている。
　甲第４号証：　本件の出願の日前の他の出願であって、その出願後に出願公開された特願平５−８２６８４号（特開平６?２７０９６４号公報：異議申立人沢江健治の提出した甲第４号証）の願書に最初に添付した明細書及び図面（以下、「先願明細書１」には、バッグインカートン（ＢＩＣ）に関し、段落【０００９】〜【００１３】の記載を参照すると、先願明細書１には、「剛性を有する外容器と該外容器に設けられた柔軟性を有する内容器との二重構造であり、前記（内容器の）非変形部分は前記内容物を前記外容器に固定した構造であり、注出口８における円筒部１３には複数の通路１４が形成されている通路部材を備えたことを特徴とする注出口を有する液体包装容器。」が記載されている。　
　甲第５号証：　本件の出願の日前の他の出願であって、その出願後に出願公開された特願平５−２９１５４３号（特開平６?２１１２７３号公報：異議申立人沢江健治の提出した甲第５号証）の願書に最初に添付した明細書及び図面（以下、「先願明細書２」には、インキ等の高粘度液体の包装に好適に使用可能なバッグインカートン（ＢＩＣ）に関し、段落【００１４】〜【００１６】、及び、段落【００２４】〜【００２５】の記載を参照すると、先願明細書２には、「液体容器は剛性を有する外容器と該外容器に設けられた柔軟性を有する内容器との二重構造であり、前記（内容器の）非変形部分は前記内容物を前記外容器に固定した構造であり、注出口５における円筒部５ａには溝状の通路５ｂが形成されている通路部材を備えたことを特徴とするバッグインカートン。」が記載されている。　
　　　
(4)対比・判断
１）申立理由１に対して
　請求項１〜５に係る発明は、刊行物１に記載された発明から容易に発明できたものであるとの主張に対して検討する。
　＜訂正発明１について＞
　刊行物１には、インクなど粘稠液を容れる粘稠液の吸出容器に関し、上記「記載Ａ」の事項が記載されているが、訂正発明１の構成要件である「吐出口の周辺と対向する部位の何れかに内側へ向かって突出した半球状の突起を複数形成した」構成についての記載は無く、両者はこの構成要件を有するか否かの点で相違する。
　この相違点について検討すると、刊行物１記載の吐出口の周辺に邪魔板や補助邪魔板を形成する構成では、内容物の流動経路を容器の壁と邪魔板の間で形成される面間の流動経路を形成することはできるが、面間の流動経路では何らかの原因で経路が閉塞した場合、流動に支障をきたすことになる。しかし、訂正発明１のように半球状の突起間で複数形成される網の目状の流動経路を形成する構成では、網の目状の経路の隙間Ｓで一つの経路が閉ざされた場合でも他の流動経路が存在するから他の流動経路を通じて残量が少なくなるまで最初から最後まで均一に溶液を取り出すことができる（明細書の段落【００２０】、【００２１】及び【００２５】参照）から、相違点によって吐出溶液の均一な流動に顕著な差異が生じると解される。
　よって、刊行物１の記載から、訂正発明１の半球状の突起を複数形成する構成を有する発明を容易に想到することができたとは認め難い。
　＜訂正発明２について＞
　訂正発明２は「非変形部分または変形部分の何れか一方に内側へ向かって突出した
半球状の
　＜訂正発明３〜５について＞
　訂正発明３〜５は、それぞれ訂正発明１または２をさらに限定したものであるので、同様の理由で当業者が容易に発明をすることができたとは認められない。
　　
２）申立理由２に対して
　訂正発明１〜３は、刊行物１または刊行物２に記載された発明であるとの主張に対して検討する。
ｉ．訂正発明１〜３と刊行物１の対比・判断
　申立理由１についての項で述べたように、刊行物１には訂正発明１〜３を特定する「前記吐出口を有する面の前記吐出口の周辺または変形時に前記吐出口を有する面と対向する面であって前記吐出口の周辺と対向する部位の何れかに内側へ向かって突出した
半球状の
ｉｉ．訂正発明１〜３と刊行物２の対比・判断
　＜訂正発明１について＞
　刊行物２には、注出口２０の周囲に溝２２を設け、この溝を跨ぐようにして下部容器の端部６ａ付近から注出口に向かって延びるリブ２３を突設することが記載されてはいるものの、訂正発明１を特定する「吐出口の周辺と対向する部位の何れかに内側へ向かって突出した半球状の突起を複数形成した」構成については記載されていないので、訂正発明１は、刊行物２に記載された発明ではない。
　＜訂正発明２について＞
　訂正発明１についてと同様の理由で、訂正発明２は、刊行物２に記載された発明ではない。
　＜訂正発明３について＞
　訂正発明３と刊行物２に記載された発明を対比すると、訂正発明３は、訂正発明１または２を引用してさらに限定した発明であるから、上記の対比判断で記載されていないと認定した構成が同じく記載されていないものと認められるので、訂正発明３は、刊行物２に記載された発明ではない。
３）申立理由３に対して               
　訂正発明１〜４は、刊行物１〜３記載の発明から容易に発明できたものであるとの主張に対して検討する。
　＜訂正発明１について＞
　訂正発明１と刊行物１とを対比すると、「申立理由１に対して」ですでに述べたように、両者は「前記吐出口を有する面の前記吐出口の周辺または変形時に前記吐出口を有する面と対向する面であって前記吐出口の周辺と対向する部位の何れかに内側へ向かって突出した
半球状の
半球状の
半球状の
　＜訂正発明２〜４について＞
　訂正発明２〜４についても、同様の理由で、刊行物１〜３記載の発明から容易に発明できたものとはいえない。
　　　　
４）申立理由４に対して
　甲第４号証並びに甲第５号証として本件発明の出願日以降に出願公開された公開公報を提出し、これらの公開公報に係る出願が、本件発明の出願日よりも前に出願されたものであるから、訂正発明５は、特許法第２９条の２の規定に該当し、同法第１１３条第２号により取り消すべきものであると主張しているので、その主張に対し、以下、検討する。
　甲第４号証に記載されたものも、甲第５号証に記載されたものも、何れも、訂正発明５を特定している「吐出口を有する面の前記吐出口の周辺または変形時に前記吐出口を有する面と対向する面であって前記吐出口の周辺と対向する部位の何れかに内側へ向かって突出した半球状の突起を複数形成したことを特徴とする液体容器」については、何ら記載されていないので、訂正発明５は、甲第４号証に記載された発明と同一であるとはいえず、また、甲第５号証に記載された発明と同一であるとも言えない。
　　　
５）申立理由５に対して
　記載不備があると主張しているので、以下、検討する。
　非変形部分または変形部分の何れか一方に内側に向かって突出した突起を設けることは、明細書の発明の詳細な説明の段落【００１３】に、「非変形部分または変形部分の何れか一方の略全体に内側へ突出した突起が形成されており」、また、段落【００２３】）に、「非変形部分ＥＡ全体には、凹部３ａと凸部３ｂからなる半球状の突起３が内側に突出して複数設けられている。」と記載されている。したがって、請求項２に係る発明は詳細な説明と一致しない旨の請求人の主張は採用できない。
　　              
(5)むすび
　以上のとおりであるから、特許異議申立ての理由及び証拠によっては、本件請求項１乃至５に係る特許を取り消すことができない。
　また、他に本件請求項１乃至５に係る特許を取り消すべき理由を発見しない。
　よって、結論のとおり決定する。
【異議決定日】
平成１４年１２月１９日（２００２．１２．１９）
【訂正の要旨】
（１）訂正の理由
　特許請求の範囲の減縮、及び明瞭でない記載の釈明
（２）訂正事項
　Ａ．特許請求の範囲の請求項１の記載中「…内側へ向かって突出した突起を複数形成したことを特徴とする液体容器。」を「…内側へ向かって突出した
半球状の
　Ｂ．特許請求の範囲の請求項２の記載中「…内側へ向かって突出した突起を複数形成したことを特徴とする液体容器。」を「…内側へ向かって突出した
半球状の
　Ｃ．発明の詳細な説明の［０００８］の記載中「…内側へ向かって突出した突起を複数形成したことを特徴としている。」を「…内側へ向かって突出した
半球状の
　Ｄ．発明の詳細な説明の［０００９］の記載中「…内側へ向かって突出した突起を複数形成したことを特徴としている。」を「…内側へ向かって突出した
半球状の
　Ｅ．発明の詳細な説明の［００１２］の記載中「…部位の何れかに複数の突起が形成されており、…」を「…部位の何れかに複数の
半球状の
　Ｆ．発明の詳細な説明の［００１３］の記載中「…内側へ突出した突起が形成されており、…」を「…内側へ突出した
半球状の
　Ｇ．発明の詳細な説明の［００４０］の記載中「…内容物が取り出される吐出口周辺に突起を有する…」を「…内容物が取り出される吐出口周辺に
半球状の
　Ｈ．発明の詳細な説明の［００４１］の記載中「…表面の略半部に突起を有する…」を「…表面の略半部に
半球状の
（５４）【発明の名称】
液体容器
（５７）【特許請求の範囲】
　【請求項１】　内容物取り出用の吐出口を有する面を含み且つ全体の略１／２に相当する非変形部分の剛性に対して該非変形部分以外の部分に相当する変形部分の剛性を相対的に弱く構成し、内容物が取り出されるに従って前記変形部分が前記非変形部分の内側に沿って撓む変形可能な容器であって、前記吐出口を有する面の前記吐出口の周辺または変形時に前記吐出口を有する面と対向する面であって前記吐出口の周辺と対向する部位の何れかに内側へ向かって突出した
半球状の
　【請求項２】　内容物取り出用の吐出口を有する面を含み且つ全体の略１／２に相当する非変形部分の剛性に対して該非変形部分以外の部分に相当する変形部分の剛性を相対的に弱く構成し、内容物が取り出されるに従って前記変形部分が前記非変形部分の内側に沿うように撓んで入り込む変形可能な容器であって、前記非変形部分または前記変形部分の何れか一方に内側へ向かって突出した
半球状の
　【請求項３】　前記複数の各突起の突出量または間隔を吐出口に近くなる程小さくした請求項１または２記載の液体容器。
　【請求項４】　前記複数の各突起の突出量または間隔を吐出口に近くなる程大きくした請求項１または２記載の液体容器。
　【請求項５】　前記液体容器は剛性を有する外容器と該外容器に設けられた柔軟性を有する内容器との二重構造であり、前記非変形部分は前記内容器を前記外容器に固定した構造であることを特徴とする請求項１乃至４記載の液体容器。
【発明の詳細な説明】
　【０００１】
　【産業上の利用分野】
　本発明は、液体を入れる液体容器に関し、特に内容物として粘度の高い液体に有効な液体容器に関するものである。
　【０００２】
　【従来の技術】
　液体を収容する容器として、図８に示すように、硬質の紙からなる剛体の外容器５０の内部に、可撓性を有する袋体からなる軟体の内容器（内袋）５１を設けて構成されるバック・イン・ボックス形態の容器（以下、「ＢＩＢ容器」という）が知られている。
　【０００３】
　このＢＩＢ容器によれば、外容器５０により所定の箱形状を保持しつつ外部からの衝撃等から保護し、内容器５１が収縮することにより、内容器５１の内容物である液体５２が吐出口５３より取り出すことができるものである。
　【０００４】
　ところで、高粘度の液体、例えばインクを内容物とした場合には、ＢＩＢ容器の吐出口５３部分に吸引ノズルを設け、ポンプ等で吸引することにより内容器５１内の液体を取り出すよう構成することができる。
　【０００５】
　【発明が解決しようとする課題】
　しかしながら、従来のＢＩＢ容器では、内部の液体５２を取り出す過程において、内袋５１が不規則に変形し、図８に示す如く、内袋５１同士が密着して内袋５１内に独立した部屋が生じ、その部屋内の液体が取り出されずに残留し且つその量が一定しないという不具合が生じた。
　【０００６】
　また、ポンプにより吸引を行う場合において、始めの吐出量と後半の吐出量にむらが生じ、最初から最後まで均一の吐出量で内袋内の液体を取り出すことができなかった。
　【０００７】
　そこで、本発明は上記問題点に鑑みてなされたものであって、その目的は、容器壁面同士の密着を防止し、内容物を残量少なく最初から最後まで均一に取り出すことができる液体容器を提供することにある。
　【０００８】
　【課題を解決するための手段】
　上記目的を達成するため、請求項１の液体容器は、吐出口を有する面の吐出口の周辺または変形時に前記吐出口を有する面と対向する面であって前記吐出口の周辺と対向する部位の何れかに内側へ向かって突出した
半球状の
　【０００９】
　また、請求項２の液体容器は、吐出口が存在する側の面を含み且つ全体の略１／２に相当する非変形部分またはそれ以外の変形部分の何れか一方の略全体に、内側へ向かって突出した
半球状の
　【００１０】
　さらに、上記容器において、突起の突出量あるいは間隔は、吐出口に近くなる程大きく、または小さくなっている。
　【００１１】
　また、上記容器を、剛性を有する外容器と外容器に設けられた柔軟性を有する内容器との二重構造とし、非変形部分は内容器を外容器に固定した構造とすることもできる。
　【００１２】
　【作用】
　請求項１の液体容器では、内容物が取り出される吐出口周辺またはこれと変形時に対向する部位の何れかに複数の
半球状の
　【００１３】
　また、請求項２の液体容器では、吐出口が存在する側の表面を含み且つ全体の１／２に相当する非変形部分またはそれ以外の変形部分の何れか一方の略全体に内側へ突出した
半球状の
　【００１４】
　さらに、請求項３の液体容器では、各突起の突出量または間隔を、吐出口に近づく程小さくなっており、吐出口付近における内容物の取り出し量がある程度制限され、容器内の内容物の減少度合いが均一に保たれる。
　【００１５】
　また、請求項４の液体容器では、各突起の突出量または間隔が、吐出口に近づく程大きくなっており、吐出口周辺に充分な量の内容物を確保して吐出口より多くの内容物が取り出せる。
　【００１６】
　さらに、請求項５の液体容器では、非変形部分の剛性を変形部分の剛性よりも相対的に強くでき、非変形部分と変形部分との肉厚に差を設けたり、材質を変えたりすることなく、容器自体はその全体を同一部材で均一に構成できる。
　【００１７】
　【実施例】
　図１（ａ）は本発明による液体容器の第１実施例を示す斜視図、図１（ｂ）は同容器から内容物が完全に取り出された状態を示す断面図である。
　【００１８】
　この実施例による液体容器は、低粘度の液体から印刷インク等の高粘度の液体まで用途に応じた粘度の液体が収容される容器として、ＢＩＢ容器の内容器に相当する容器を単体で使用した場合の例であって、容器１全体は、例えばビニール等の可撓性を有する部材で正方体に形成されている。また、この容器１は、内容物取り出し用の吐出口２が設けられた面１ａと、この面１ａに接する各面１ｃ，１ｄ，１ｅ，１ｆの前記面１ａから略１／２までを非変形部分ＥＡとし、前記非変形部分ＥＡ以外の部分を変形部分ＥＢとすると共に、非変形部分ＥＡの肉厚よりも変形部分ＥＢの肉厚を薄くすることにより、変形部分ＥＢの剛性を非変形部分ＥＡの剛性よりも相対的に弱く構成し、内容物が取り出されるに従って変形部分ＥＢが非変形部分ＥＡの内側に沿うように撓んで入り込むように構成されている。また、面１ａの吐出口２の周辺には、凹部３ａと凸部３ｂからなる半球状の突起３が内側へ突出して複数設けられている。
　【００１９】
　上記のように構成された液体容器では、吐出口２に図示しない吸引ノズルを取り付け、ポンプ等の吸引力により容器１に外力が与えられると、変形部分ＥＢが非変形部分ＥＡの内壁面に向かって入り込むように変形して吐出口２より容器１内の内容物が取り出される。
　【００２０】
　そして、内容物が取り出されるに従って、変形部分ＥＢの内壁面が非変形部分ＥＡの内壁面に近づくと、吐出口２の周辺には、突起３によって吐出口２と連通する隙間Ｓが網の目状にできる。
　【００２１】
　これにより、吐出口２部分での内壁面同士の密着が防止され、吐出口２周辺での内容物の流動経路を十分に確保でき、内容物を最初から最後まで均一に且つ残量を少なく取り出すことができる。また、吐出口２を通じて内容物が取り出される際、突起３が半球状を成しているので、内容物の流れに対する抵抗が小さく、吐出口２まで内容物を円滑に導くことができる。
　【００２２】
　次に、図２（ａ）は本発明による液体容器の第２実施例を示す斜視図、図２（ｂ）は同容器から内容物が完全に取り出された状態を示す断面図であり、図１と対応する部分には図１と同一の符号を付して説明する。
　【００２３】
　この実施例による液体容器は、容器１全体が、例えばビニール等の可撓性を有する部材で正方体に形成されている。また、この容器１は、吐出口２の存在する面１ａと、この面１ａに接する各面１ｃ，１ｄ，１ｅ，１ｆの前記面１ａから略１／２までを非変形部分ＥＡとし、前記非変形部分ＥＡ以外の部分を変形部分ＥＢとすると共に、非変形部分ＥＡの肉厚よりも変形部分ＥＢの肉厚を薄くすることにより、変形部分ＥＢの剛性を非変形部分ＥＡの剛性よりも相対的に弱く構成し、内容物が取り出されるに従って変形部分ＥＢが非変形部分ＥＡの内側に沿うように撓んで入り込むように構成されている。また、非変形部分ＥＡ全体には、凹部３ａと凸部３ｂからなる半球状の突起３が内側に突出して複数設けられている。
　【００２４】
　この実施例では、図１の液体容器と同様に、吐出口２に図示しない吸引ノズルを取り付け、ポンプ等の吸引力により容器１に外力が与えられると、変形部分ＥＢが非変形部分ＥＡの内壁面に向かって入り込みながら変形して吐出口２より容器１内の内容物が取り出される。
　【００２５】
　また、内容物が取り出されるに従って、変形部分ＥＢの内壁面が、非変形部分ＥＡの内壁面に近づくと、容器１内には突起３によって吐出口２と連通する隙間Ｓが網の目状にできる。
　【００２６】
　これにより、容器１の内壁面同士の密着が防止され、内容物の流動経路を十分に確保できる。
　【００２７】
　次に、図３（ａ）は本発明による液体容器の第３実施例を示す斜視図、図３（ｂ）は同容器から内容物が完全に取り出された状態を示す断面図であり、図１と対応する部分には図１と同一の符号を付して説明する。
　【００２８】
　この実施例による液体容器は、正方体形状の容器１に対し、吐出口２が存在する面１ａと、この面１ａに接する一つの面１ｃに突起３が形成されたもので、前記面１ａと面１ｃの肉厚に対してその他の各面１ｂ，１ｄ，１ｅ，１ｆの肉厚を薄くしている。これにより、前記面１ａと面１ｃを二等辺とする三角形の底面Ｈ２を境に、面１ｂ側の変形部分ＥＢの剛性を面１ａ側の非変形部分ＥＡの剛性よりも相対的に弱く構成している。
　【００２９】
　この実施例では、吐出口２に図示しない吸引ノズルを取り付け、ポンプ等の吸引力により容器１に外力が与えられると、突起３が存在しない変形部分ＥＢは、平面Ｈ２を境に、吐出口２が存在する面１ａの対向面１ｂの内壁面が吐出口２が存在する面１ａの内壁面に向かって入り込みながら変形して吐出口２より容器１内の内容物が取り出される。
　【００３０】
　そして、内容物が取り出されるに従って、面１ｅの内壁面が、吐出口２が存在する面１ａの内壁面に近づいても、突起３によって隙間Ｓができる。これにより、容器１の内壁面同士の密着が防止され、内容物の流動経路を十分に確保できる。
　【００３１】
　次に、図４（ａ）は本発明による液体容器の第４実施例を示す図、図４（ｂ）は同容器の一部拡大断面図であり、図１と対応する部分には図１と同一の符号を付して説明する。
　【００３２】
　この実施例による液体容器は、容器１に形成された突起３の突出量あるいは間隔（中心間の距離）が、吐出口２に近くなる程小さくなるように、吐出口２を中心として放射状に突起３が配設されたもので、この実施例によれば、吐出口２より内容物が取り出され、吐出口２が存在する面１ａの対向面１ｂの内壁面が、吐出口２が存在する面１ａの内壁面に近づく過程において、吐出口２付近における内容物の取り出し量がある程度制限され、容器１内の内容物の減少度合いを均一に保つことができ、内容物としては、吐出口２より出やすい柔らかいインクに有効である。
　【００３３】
　次に、図５（ａ）は本発明による液体容器の第５実施例を示す図、図５（ｂ）は同容器の一部拡大断面図であり、図１と対応する部分には図１と同一の符号を付して説明する。
　【００３４】
　この実施例による液体容器は、容器１に形成された突起３の突出量あるいは間隔が、吐出口２に近くなる程大きくなるように、吐出口２を中心として放射状に突起３が配設されたもので、この実施例によれば、吐出口２より内容物が取り出され、吐出口２が存在する面１ａの対向面１ｂの内壁面が、吐出口２が存在する面１ａの内壁面に近づく過程において、吐出口２周辺に充分な量の内容物を確保して吐出口２より多くの内容物を取り出すことができ、内容物としては、吐出口２より出にくい硬いインクに有効である。
　【００３５】
　ところで、上述した各実施例では、容器１の厚さを部分的に変えることによって、非変形部分ＥＡの剛性を変形部分ＥＢの剛性よりも相対的に強くしているが、剛性に差を持たせる方法としては、材質を選ぶ方法、剛性を持たせたい部分に別部材（図６に示すように、突起３を交互に配設されたものであれば、さらに剛性が向上する）を貼着する方法等が考えられる。また、上述した各実施例において図示した突起３の位置の変形例として、変形部分ＥＢが非変形部分ＥＡに沿って変形したときに、上記図示の突起３を有する面と対向する面に設けるようにしてもよい。
　【００３６】
　さらに、上述した各実施例の突起３は、吐出口２に向かって直線的な隙間Ｓができるように規則的に形成すれば、内容物の流れに対する抵抗が減って流れが円滑になり、ポンプに係る負担も軽減することができる。
　【００３７】
　また、上述した各実施例では、従来のＢＩＢ容器で言う内容器のみで構成されるものであるが、当然、ＢＩＢ容器のように、吐出口を残して上述した構成の容器を覆うように外容器を設ける構成としてもよい。この場合には、非変形部分ＥＡを外容器に固定すれば、非変形部分ＥＡの剛性を変形部分ＥＢの剛性よりも相対的に強くできるので、非変形部分ＥＡと変形部分ＥＢとの肉厚に差を設けたり材質を変えたりすることなく、容器１自体はその全体を同一部材で均一に構成できる。
　【００３８】
　さらに、各実施例では、容器を立方体として説明したが、直方体、それ以外の多角柱、円柱、球等の立体容器に適用することができる。
　【００３９】
　また、上述した各実施例における突起３は、内容物の流れに対する抵抗を最小限に抑えるために、半球状に形成した場合について説明したが、内容物の粘度の度合いに応じて例えば三角形、四角形等の多角形状に突起３の形状を選べば、内容物の流れに対する抵抗量を内容物の粘度の度合いに応じて変えることができる。またさらに、上述した各実施例における突起３は、図７（ａ）に示したように、容器１を構成する基材１１に補助部材１２を溶着等により貼り合わせて各々が独立して密閉された半球状の空洞１３を形成した構成であってもよいし、図７（ｂ）に示したように、容器１を構成する基材１１の肉厚を半球状に厚くして突起３を構成してもよい。
　【００４０】
　【発明の効果】
　本発明による請求項１の液体容器は、内容物が取り出される吐出口周辺に
半球状の
　【００４１】
　また、請求項２の液体容器は、吐出口が存在する側の表面の略半分に
半球状の
　【００４２】
　さらに、請求項３の液体容器によれば、突起の突出量あるいは間隔を、吐出口に近くなる程小さくしたので、吐出口付近における内容物の取り出し量がある程度制限され、容器内の内容物の減少度合いを均一に保つことができ、内容物として、吐出口より出やすい柔らかいインクに有効的に用いることができる。
　【００４３】
　また、請求項４の液体容器によれば、突起の突出量あるいは間隔を、吐出口に近くなる程大きくしたので、吐出口周辺に充分な量の内容物を確保して吐出口より多くの内容物を取り出すことができ、内容物として、吐出口より出にくい硬いインクに有効的に用いることができる。
　【００４４】
　さらに、請求項５の液体容器によれば、非変形部分の剛性を変形部分の剛性よりも相対的に強くできるので、非変形部分と変形部分との肉厚に差を設けたり、材質を変えたりすることなく、容器自体はその全体を同一部材で均一に構成することができる。
【図面の簡単な説明】
　【図１】
　（ａ）本発明による液体容器の第１実施例を示す斜視図
　（ｂ）同容器から内容物が完全に取り出された状態を示す断面図
　【図２】
　（ａ）本発明による液体容器の第２実施例を示す斜視図
　（ｂ）同容器から内容物が完全に取り出された状態を示す断面図
　【図３】
　（ａ）本発明による液体容器の第３実施例を示す斜視図
　（ｂ）同容器から内容物が完全に取り出された状態を示す断面図
　【図４】
　（ａ）本発明による液体容器の第４実施例を示す図
　（ｂ）同容器の一部拡大断面図
　【図５】
　（ａ）本発明による液体容器の第５実施例を示す図
　（ｂ）同容器の一部拡大断面図
　【図６】
　本発明による液体容器の他の突起の配設例を示す図
　【図７】
　本発明による液体容器の突起の構成を示す他の実施例
　【図８】
　従来の液体容器の一例を示す図
　【符号の説明】
　１…容器、２…吐出口、３…突起、ＥＡ…非変形部分、ＥＢ…変形部分。